(57)【要約】【課題】いずれの用途で記入されるものであるかを区別して予定を表示する。【解決手段】通信部は、ユーザに使用される予定表の用途に応じた行動計画を示す行動計画情報を用途毎に保持するテーブルから、行動計画情報を取得し、制御部は、取得された行動計画情報に基づいて、異なる用途でユーザにそれぞれ使用される複数の予定表の同一の時間帯におけるユーザの予定を表す複数の行動計画を、用途別に区別して表示させる。本開示は、例えば、ユーザの予定を表示させる表示制御装置に適用できる。【選択図】図６
2013084162.tif 000002
【特許請求の範囲】
【請求項１】
ユーザに使用される予定表の用途に応じた行動計画を示す行動計画情報を前記用途毎に保持するテーブルから、前記行動計画情報を取得する取得部と、
取得された前記行動計画情報に基づいて、異なる前記用途で前記ユーザにそれぞれ使用される複数の前記予定表の同一の時間帯における前記ユーザの予定を表す複数の前記行動計画を、前記用途別に区別して表示させる表示制御部と
を含む表示制御装置。
【請求項２】
前記表示制御部は、取得された前記行動計画情報に基づいて、前記複数の行動計画を対応付けた状態で表示させる
請求項１に記載の表示制御装置。
【請求項３】
前記表示制御部は、前記複数の行動計画のうち、同一の内容とされた行動計画を統合して表示させる
請求項２に記載の表示制御装置。
【請求項４】
前記表示制御部は、取得された前記行動計画情報に基づいて、前記ユーザの予定が存在することを少なくとも表す前記行動計画を、前記用途別に区別して表示させる
請求項３に記載の表示制御装置。
【請求項５】
前記表示制御部は、取得された前記行動計画情報に基づいて、前記ユーザにより指定された各用途に応じた前記複数の行動計画を、前記用途別に区別して表示させる
請求項４に記載の表示制御装置。
【請求項６】
前記表示制御部は、前記用途毎に前記行動計画を入力可能な入力画面も表示させる
請求項１に記載の表示制御装置。
【請求項７】
前記表示制御部は、異なる各用途に応じた共通の前記行動計画も入力可能な前記入力画面も表示させる
請求項６に記載の表示制御装置。
【請求項８】
前記表示制御部は、現在時刻、又は前記表示制御装置の位置情報に応じて異なる前記入力画面も表示させる
請求項６に記載の表示制御装置。
【請求項９】
前記入力画面に入力された内容に基づいて、前記テーブルが保持する前記行動計画情報を更新する更新部を
さらに含む請求項１に記載の表示制御装置。
【請求項１０】
前記表示制御部は、前記行動計画情報を更新するための権限、又は前記行動計画情報に基づく前記行動計画を表示させるための権限の少なくとも一方を各ユーザ毎に設定するための設定画面も表示させる
請求項１に記載の表示制御装置。
【請求項１１】
ユーザの予定を表示させる表示制御装置の表示制御方法において、
前記表示制御装置による、
ユーザに使用される予定表の用途に応じた行動計画を示す行動計画情報を前記用途毎に保持するテーブルから、前記行動計画情報を取得する取得ステップと、
取得された前記行動計画情報に基づいて、異なる前記用途で前記ユーザにそれぞれ使用される複数の前記予定表の同一の時間帯における前記ユーザの予定を表す複数の前記行動計画を、前記用途別に区別して表示させる表示制御ステップと
を含む表示制御方法。
【請求項１２】
コンピュータを、
ユーザに使用される予定表の用途に応じた行動計画を示す行動計画情報を前記用途毎に保持するテーブルから、前記行動計画情報を取得する取得部と、
取得された前記行動計画情報に基づいて、異なる前記用途で前記ユーザにそれぞれ使用される複数の前記予定表の同一の時間帯における前記ユーザの予定を表す複数の前記行動計画を、前記用途別に区別して表示させる表示制御部と
して機能させるためのプログラム。
【発明の詳細な説明】
【技術分野】
【０００１】
本開示は、表示制御装置、表示制御方法、及びプログラムに関し、特に、例えば、ユーザの異なる用途に応じて作成された複数の予定を統合して表示させる場合に用いて好適な表示制御装置、表示制御方法、及びプログラムに関する。
【背景技術】
【０００２】
従来、ユーザの予定（スケジュール）を管理するスケジュール管理ソフトが存在する（例えば、特許文献１参照）。
【０００３】
このスケジュール管理ソフトでは、ユーザの予定を管理するために、予定表に対して、ユーザが予定の名称（予定名）を記入できるようになっている。
【０００４】
したがって、ユーザは、このスケジュール管理ソフトを用いて、私用の予定を管理する用途に用いる私用予定表や、会社の業務に関する予定を管理する用途に用いる会社予定表等を作成して、私用と会社用とで別々に予定を管理することができる。
【０００５】
また、従来、複数の予定表を、１つの予定表に統合して表示させる統合表示技術が存在する。
【０００６】
この統合表示技術では、例えば、私用予定表と会社予定表とを統合する場合、私用予定表に記入された私用の予定名と、会社予定表に記入された会社の業務に関する予定名とが、用途の区別なく混在された統合予定表が表示される。
【先行技術文献】
【特許文献】
【０００７】
【特許文献１】特開２０１０−１１３６４４号公報
【発明の概要】
【発明が解決しようとする課題】
【０００８】
上述した従来の統合表示技術では、１つの統合予定表のみで、私用の予定名と会社の業務に関する予定名とを確認できるようになるものの、予定名が、いずれの用途で記入されたものかを区別することができない。
【０００９】
このため、統合予定表に記入された予定名が、私用の用途で記入されたものであるのか、会社の業務の用途で記入されたものであるのかを区別することができないため、使い勝手の悪いものとなっていた。
【００１０】
本開示は、このような状況に鑑みてなされたものであり、いずれの用途で記入されたものであるかを区別して予定を表示できるようにするものである。
【課題を解決するための手段】
【００１１】
本開示の一側面の表示制御装置は、ユーザに使用される予定表の用途に応じた行動計画を示す行動計画情報を前記用途毎に保持するテーブルから、前記行動計画情報を取得する取得部と、取得された前記行動計画情報に基づいて、異なる前記用途で前記ユーザにそれぞれ使用される複数の前記予定表の同一の時間帯における前記ユーザの予定を表す複数の前記行動計画を、前記用途別に区別して表示させる表示制御部とを含む表示制御装置である。
【００１２】
前記表示制御部では、取得された前記行動計画情報に基づいて、前記複数の行動計画を対応付けた状態で表示させることができる。
【００１３】
前記表示制御部では、前記複数の行動計画のうち、同一の内容とされた行動計画を統合して表示させることができる。
【００１４】
前記表示制御部では、取得された前記行動計画情報に基づいて、前記ユーザの予定が存在することを少なくとも表す前記行動計画を、前記用途別に区別して表示させることができる。
【００１５】
前記表示制御部では、取得された前記行動計画情報に基づいて、前記ユーザにより指定された各用途に応じた前記複数の行動計画を、前記用途別に区別して表示させることができる。
【００１６】
前記表示制御部では、前記用途毎に前記行動計画を入力可能な入力画面も表示させることができる。
【００１７】
前記表示制御部では、異なる各用途に応じた共通の前記行動計画も入力可能な前記入力画面も表示させることができる。
【００１８】
前記表示制御部では、現在時刻、又は前記表示制御装置の位置情報に応じて異なる前記入力画面も表示させることができる。
【００１９】
前記入力画面に入力された内容に基づいて、前記テーブルが保持する前記行動計画情報を更新する更新部をさらに設けることができる。
【００２０】
前記表示制御部では、前記行動計画情報を更新するための権限、又は前記行動計画情報に基づく前記行動計画を表示させるための権限の少なくとも一方を各ユーザ毎に設定するための設定画面も表示させることができる。
【００２１】
本開示の一側面の表示制御方法は、ユーザの予定を表示させる表示制御装置の表示制御方法であって、前記表示制御装置による、ユーザに使用される予定表の用途に応じた行動計画を示す行動計画情報を前記用途毎に保持するテーブルから、前記行動計画情報を取得する取得ステップと、取得された前記行動計画情報に基づいて、異なる前記用途で前記ユーザにそれぞれ使用される複数の前記予定表の同一の時間帯における前記ユーザの予定を表す複数の前記行動計画を、前記用途別に区別して表示させる表示制御ステップとを含む表示制御方法である。
【００２２】
本開示の一側面のプログラムは、コンピュータを、ユーザに使用される予定表の用途に応じた行動計画を示す行動計画情報を前記用途毎に保持するテーブルから、前記行動計画情報を取得する取得部と、取得された前記行動計画情報に基づいて、異なる前記用途で前記ユーザにそれぞれ使用される複数の前記予定表の同一の時間帯における前記ユーザの予定を表す複数の前記行動計画を、前記用途別に区別して表示させる表示制御部として機能させるためのプログラムである。
【００２３】
本開示によれば、ユーザに使用される予定表の用途に応じた行動計画を示す行動計画情報を前記用途毎に保持するテーブルから、前記行動計画情報が取得され、取得された前記行動計画情報に基づいて、異なる前記用途で前記ユーザにそれぞれ使用される複数の前記予定表の同一の時間帯における前記ユーザの予定を表す複数の前記行動計画が、前記用途別に区別して表示される。
【発明の効果】
【００２４】
本開示によれば、いずれの用途で記入されたものであるかを区別して予定を表示させることが可能となる。
【図面の簡単な説明】
【００２５】
【図１】本開示における通信システムの構成例を示すブロック図である。
【図２】切換えて表示される予定表の遷移の一例を示す図である。
【図３】私用予定表の一例を示す図である。
【図４】会社予定表の一例を示す図である。
【図５】家族予定表の一例を示す図である。
【図６】端末の構成例を示すブロック図である。
【図７】予定表が表示された表示画面の一例を示す第１の図である。
【図８】予定表が表示された表示画面の一例を示す第２の図である。
【図９】予定表が表示された表示画面の一例を示す第３の図である。
【図１０】予定表が表示された表示画面の一例を示す第４の図である。
【図１１】予定表が表示された表示画面の一例を示す第５の図である。
【図１２】予定表が表示された表示画面の一例を示す第６の図である。
【図１３】端末が行う表示処理を説明するためのフローチャートである。
【図１４】予定表が表示された表示画面の一例を示す第７の図である。
【図１５】予定を入力するための入力画面の一例を示す第１の図である。
【図１６】予定を入力するための入力画面の一例を示す第２の図である。
【図１７】予定を入力するための入力画面の一例を示す第３の図である。
【図１８】予定を入力するための入力画面の一例を示す第４の図である。
【図１９】予定を入力するための入力画面の一例を示す第５の図である。
【図２０】予定を入力するための入力画面の一例を示す第６の図である。
【図２１】端末が行う更新処理を説明するためのフローチャートである。
【図２２】予定を入力するための入力画面の一例を示す第７の図である。
【図２３】管理サーバの構成例を示すブロック図である。
【図２４】管理テーブルの一例を示す図である。
【図２５】表示用情報の生成方法の一例を説明するための図である。
【図２６】管理サーバが行なう送信処理を説明するためのフローチャートである。
【図２７】管理サーバが行なうテーブル更新処理を説明するためのフローチャートである。
【図２８】会社予定表の更新に応じて、私用予定表も更新される一例を示す図である。
【図２９】付与された権限の範囲内で予定を更新する場合の一例を示す図である。
【図３０】他の予定表と同期させて、管理サーバで管理されている予定表を更新する場合の一例を示す図である。
【図３１】コンピュータの構成例を示すブロック図である。
【発明を実施するための形態】
【００２６】
以下、本開示における実施の形態（以下、本実施の形態という）について説明する。なお、説明は以下の順序で行う。
１．本実施の形態（ユーザの用途に応じた予定表を表示するときの一例）
２．変形例
【００２７】
＜１．本実施の形態＞
[通信システム１の構成例]
本実施の形態である通信システム１の構成例を示している。
【００２８】
この通信システム１は、端末２１1乃至２１N、インターネット等に代表されるネットワーク２２、及び管理サーバ２３から構成される。
【００２９】
端末２１n(n=1,2,…,N)は、例えばユーザによる表示操作に応じて、管理サーバ２３からネットワーク２２を介して、予定表を表示するための表示用情報を受信する。そして、端末２１nは、受信した表示用情報に基づいて、モニタ等の表示部４５（図６で後述する）に、ユーザが所望する予定表を表示する。
【００３０】
すなわち、例えば、端末２１nは、ユーザからの操作に応じて、図２に示されるように、表示させる予定表を、私用予定表、会社予定表、家族予定表、又は統合予定表のいずれかに切り替えて表示する。
【００３１】
ここで、私用予定表とは、図３に示されたような、私用の予定のみが記入された予定表をいう。また、会社予定表とは、図４に示されたような、会社の業務に関する予定のみが記入された予定表をいう。さらに、家族予定表とは、図５に示されたような、ユーザを含む家族の予定のみを記入した予定表をいう。
【００３２】
なお、図３に示される私用予定表において、図中上から１行目の欄に日付が記入され、図中左から１列目の欄に時刻が記入されている。そして、私用予定表では、図３に示されるように、私用の予定が、矩形により示されている。このことは、図４及び図５についても同様である。
【００３３】
また、統合予定表とは、私用予定表、会社予定表、又は家族予定表のうちの少なくとも２以上の予定表を統合した予定表をいう。
【００３４】
例えば、私用予定表、会社予定表、及び家族予定表を統合して得られる予定表を、統合予定表とした場合、その統合予定表において、私用の予定、会社の予定、及び家族の予定がそれぞれ別々に表示される。
【００３５】
また、そのような統合予定表では、私用予定表、会社予定表、及び家族予定表にそれぞれ記入された予定の対応関係がわかる形で表示される。
【００３６】
すなわち、例えば、ユーザが、２３日（火）の９時から１１時までの時間帯において、会社を休むようにし、息子である次郎に付き添って、予防接種を市民病院で受けさせることを予定しているものとする。
【００３７】
したがって、２３日（火）の９時から１１時までの時間帯において、私用予定表には、図３に示されるように、ユーザの予定を表す予定名「市民病院 次郎 予防注射 付添」が記入されている。
【００３８】
また、２３日（火）の９時から１１時までの時間帯において、会社予定表には、図４に示されるように、予定名「私用 半休」が記入され、家族予定表には、図５に示されるように、予定名「市民病院 次郎 予防注射 付添」が記入されている。
【００３９】
統合予定表を表示する際には、例えば、私用予定表に記入の予定名「市民病院 次郎 予防注射 付添」、会社予定表に記入の予定名「私用 半休」、及び家族予定表に記入の予定名「市民病院 次郎 予防注射 付添」が、それぞれ対応することがわかる形で表示される。
【００４０】
なお、端末２１nによる予定表の表示は、例えば、図７乃至図１２を参照して詳述する。
【００４１】
また、端末２１nは、例えばユーザによる更新操作に応じて、私用予定表、会社予定表、又は家族予定表の少なくとも１つを更新するための予定更新情報を生成し、ネットワーク２２を介して、管理サーバ２３に供給する。
【００４２】
管理サーバ２３は、ユーザに使用される予定表（例えば、私用予定表、会社予定表、又は家族予定表等）の用途毎に、ユーザの予定を表示させるための表示用情報を有する管理テーブルを予め保持している。
【００４３】
管理サーバ２３は、端末２１nからの要求に応じて、予め保持している管理テーブルから、所定の予定表（例えば、私用予定表、会社予定表、家族予定表、又は統合予定表のいずれか）を表示させるための表示用情報を読み出す。そして、管理サーバ２３は、読み出した表示用情報を、ネットワーク２２を介して、端末２１nに送信する。
【００４４】
また、管理サーバ２３は、端末２１nからの予定更新情報に基づいて、予め保持している管理テーブルを更新する。
【００４５】
[端末２１nの構成例]
次に、図６は、端末２１nの構成例を示している。
【００４６】
この端末２１nは、操作部４１、記憶部４２、制御部４３、通信部４４、及び表示部４５から構成される。
【００４７】
操作部４１は、例えば、操作ボタンや操作キーからなり、ユーザにより操作される。操作部４１は、ユーザにより操作されたことに対応して、ユーザの操作に対応する操作信号を、制御部４３に供給する。
【００４８】
なお、操作部４１は、図６に示されるように、端末２１nの構成部分とされる他、端末２１nの構成部分に含めずに、独立して設けるようにしてもよい。この場合、端末２１n内の制御部４３と、端末２１nの外部に設けられた操作部４１とは、例えばケーブル等により接続される。
【００４９】
記憶部４２は、制御部４３により実行される制御用のプログラム等が予め記憶されている。また、記憶部４２は、ユーザの予定を入力する際に参照される入力画面等（を示すデータ）が予め記憶されている。
【００５０】
制御部４３は、例えば、操作部４１からの操作信号に応じて、通信部４４や表示部４５を制御する。
【００５１】
すなわち、例えば、制御部４３は、操作部４１からの操作信号に応じて、予定更新情報を生成し、通信部４４に供給する。また、例えば、制御部４３は、操作部４１からの操作信号に応じて、表示用情報を要求するための要求信号を生成し、通信部４４に供給する。
【００５２】
さらに、例えば、制御部４３は、通信部４４からの表示用情報に基づいて、所定の予定表を生成し、表示部４５に供給して表示させる。また、例えば、制御部４３は、操作部４１からの操作信号に応じて、記憶部４２から入力画面（を示すデータ）を読み出し、表示部４５に供給して表示させる。
【００５３】
通信部４４は、管理サーバ２３からネットワーク２２を介して送信される表示用情報を受信し、制御部４３に供給する。また、通信部４４は、制御部４３からの予定更新情報や要求信号を、ネットワーク２２を介して管理サーバ２３に送信する。
【００５４】
表示部４５は、例えば、LCD（liquid crystal display）等であり、制御部４３からの予定表を表示する。なお、表示部４５は、図６に示されるように、端末２１nの構成部分とされる他、端末２１nの構成部分に含めずに、独立して設けるようにしてもよい。この場合、端末２１n内の制御部４３と、端末２１nの外部に設けられた表示部４５とは、例えばケーブル等により接続される。
【００５５】
次に、図７乃至図１２を参照して、制御部４３が、操作部４１からの操作信号に応じた予定表を、表示部４５に表示させる場合について説明する。
【００５６】
[統合予定表の表示例]
図７は、全ての予定を表示した統合予定表が表示された表示部４５の表示画面の一例を示している。
【００５７】
この表示画面には、図７に示されるように、全ての予定を表示した統合予定表が表示される。そして、表示画面には、その統合予定表の上側に、表示させる予定を指定する際に用いられる指定用領域６１が、指定用領域６１の右側に、予定表を変更させる際にユーザに押下される変更ボタン６２が、それぞれ表示されている。
【００５８】
また、指定用領域６１には、チェックボックス６１a乃至６１dが表示される。なお、チェックボックス６１a乃至６１dにおいて、チェックボックス６１aにチェック（レ点）が入れられた場合、チェックボックス６１b乃至６１dにはチェックを入れられないようになっている。
【００５９】
すなわち、指定用領域６１において、チェックボックス６１aのみ、又はチェックボックス６１b乃至６１dの少なくとも１つのみにチェックを入れることが可能となっている。
【００６０】
指定用領域６１において、チェックボックス６１aの右側には、チェックボックス６１aが、私用、会社、及び家族の全ての予定を指定するためのものであることを示す表示項目「全予定表示」が表示される。
【００６１】
また、指定用領域６１において、チェックボックス６１bの右側には、チェックボックス６１bが、私用の予定を指定するためのものであることを示す表示項目「私用」が表示される。さらに、指定用領域６１において、チェックボックス６１cの右側には、チェックボックス６１cが、会社用の予定を指定するためのものであることを示す表示項目「会社」が表示される。
【００６２】
また、指定用領域６１において、チェックボックス６１dの右側には、チェックボックス６１dが、家族用の予定を指定するためのものであることを示す表示項目「家族」が表示される。
【００６３】
ユーザは、例えば、操作部４１を用いて、表示部４５に表示された指定用領域６１上のチェックボックス６１aを指定することにより、チェックボックス６１aにチェック（レ点）を入れる。そして、ユーザは、操作部４１を用いて、表示部４５に表示された変更ボタン６２を押下する。
【００６４】
この場合、操作部４１は、ユーザの押下操作に対応する操作信号を、制御部４３に供給する。制御部４３は、操作部４１からの操作信号に応じて、通信部４４を制御して、統合予定表を表示させるための表示用情報を、管理サーバ２３からネットワーク２２を介して取得させ、制御部４３に供給させる。
【００６５】
そして、制御部４３は、通信部４４からの表示用情報に基づいて、図７に示したような統合予定表を生成し、表示部４５に供給して表示させる。
【００６６】
ここで、図７において、統合予定表とは、私用予定表、会社予定表、及び家族予定表を統合して得られるものである。
【００６７】
統合予定表では、図７に示されるように、図中上から２行目の欄に、各用途「私用」、「会社」、及び「家族」が記入されており、私用の予定、会社での予定、及び家族での予定をそれぞれ区別する形で、ユーザの予定が表示される。
【００６８】
また、統合予定表では、同一の予定であって、同一の内容とされた予定が統合されて表示される。私用予定表には、図３に示したように、２２日（月）の１９時から２１時の間に、予定名「同期 飲み会」が記入されている。また、例えば、会社予定表には、図４に示したように、２２日（月）の１９時から２１時の間に、私用予定表と同一の予定名「同期 飲み会」が記入されている。
【００６９】
すなわち、私用予定表及び会社予定表から明らかなように、ユーザは、２２日（月）の１９時から２１時の間に、会社の同期（同期に入社した同僚）と飲み会を行う予定を立てている。この場合、統合予定表では、２２日（月）の１９時から２１時の間の予定として、１つの予定名「同期 飲み会」が、私用の予定及び会社の予定として表示される。
【００７０】
さらに、統合予定表では、同一の時間帯の予定が、それぞれ、対応付けて表示される。すなわち、例えば、私用予定表には、図３に示したように、２１日（日）の１０時から１６時の間に、予定名「ゴルフ」が記入されている。また、例えば、会社予定表には、図４に示したように、２１日（日）の１０時から１６時の間に、予定名「甲乙電気製作所 コンペ」が記入されている。
【００７１】
すなわち、私用予定表及び会社予定表から明らかなように、ユーザは、２１日（日）の１０時から１６時の間に、私用で、取引先である甲乙電気製作所が主催するゴルフのコンペ（競技大会）に参加する予定を立てている。
【００７２】
この場合、統合予定表では、２１日（日）の１０時から１６時の時間帯において、私用の用途で記入された予定名「ゴルフ」と、会社の業務に関する用途で記入された予定名「甲乙電気製作所 コンペ」とが、例えば、図７に示されるような太線により、それぞれ対応付けて表示される。
【００７３】
また、図７において、統合予定表では、例えば、２１日（日）の１６時から１７時の時間帯において、私用の予定が存在する旨が、矩形で表示されている。この矩形内には、予定名が記入されていないが、１６時から１７時の時間帯において、私用の予定が存在することが、矩形により示されている。
【００７４】
[私用予定表の表示例]
次に、図８は、私用予定表が表示された表示部４５の表示画面の一例を示している。
【００７５】
なお、図８では、統合予定表に代えて、私用予定表が表示されている他は、図７の場合と同様である。
【００７６】
ユーザは、例えば、操作部４１を用いて、表示部４５に表示された指定用領域６１上のチェックボックス６１bを指定することにより、チェックボックス６１bにチェック（レ点）を入れる。そして、ユーザは、操作部４１を用いて、表示部４５に表示された変更ボタン６２を押下する。
【００７７】
この場合、操作部４１は、ユーザの押下操作に対応する操作信号を、制御部４３に供給する。制御部４３は、操作部４１からの操作信号に応じて、通信部４４を制御して、私用予定表を表示させるための表示用情報を、管理サーバ２３からネットワーク２２を介して取得させ、制御部４３に供給させる。
【００７８】
そして、制御部４３は、通信部４４からの表示用情報に基づいて、図８に示したような私用予定表を生成し、表示部４５に供給して表示させる。
【００７９】
[会社予定表の表示例]
次に、図９は、会社予定表が表示された表示部４５の表示画面の一例を示している。
【００８０】
なお、図９では、統合予定表に代えて、私用予定表が表示されている他は、図７の場合と同様である。
【００８１】
ユーザは、例えば、操作部４１を用いて、表示部４５に表示された指定用領域６１上のチェックボックス６１cを指定することにより、チェックボックス６１cにチェック（レ点）を入れる。そして、ユーザは、操作部４１を用いて、表示部４５に表示された変更ボタン６２を押下する。
【００８２】
この場合、操作部４１は、ユーザの押下操作に対応する操作信号を、制御部４３に供給する。制御部４３は、操作部４１からの操作信号に応じて、通信部４４を制御して、会社予定表を表示させるための表示用情報を、管理サーバ２３からネットワーク２２を介して取得させ、制御部４３に供給させる。
【００８３】
そして、制御部４３は、通信部４４からの表示用情報に基づいて、図９に示したような会社予定表を生成し、表示部４５に供給して表示させる。
【００８４】
なお、指定領域６１上のチェックボックス６１dが指定され、変更ボタン６２が押下された場合には、表示部４５には、制御部４３により、家族予定表が表示される。
【００８５】
[私用予定表と会社予定表とが統合された部分統合予定表の表示例]
次に、図１０は、私用の予定表と会社の予定を統合して得られる部分統合予定表が表示された表示部４５の表示画面の一例を示している。
【００８６】
なお、図１０では、統合予定表に代えて、部分統合予定表が表示されている他は、図７の場合と同様である。なお、部分統合予定表とは、私用予定表、会社予定表、又は家族予定表のいずれか２つを統合して得られる統合予定表を表す。
【００８７】
ユーザは、例えば、操作部４１を用いて、表示部４５に表示された指定用領域６１上のチェックボックス６１b及び６１cを指定することにより、チェックボックス６１b及び６１cにチェック（レ点）を入れる。そして、ユーザは、操作部４１を用いて、表示部４５に表示された変更ボタン６２を押下する。
【００８８】
この場合、操作部４１は、ユーザの押下操作に対応する操作信号を、制御部４３に供給する。制御部４３は、操作部４１からの操作信号に応じて、通信部４４を制御して、私用予定表と会社予定表を統合して得られる部分統合予定表を表示させるための表示用情報を、管理サーバ２３からネットワーク２２を介して取得させ、制御部４３に供給させる。
【００８９】
そして、制御部４３は、通信部４４からの表示用情報に基づいて、図１０に示したような部分統合予定表を生成し、表示部４５に供給して表示させる。
【００９０】
なお、図１０に示される統合予定表では、「私用」の欄に私用の予定を記入し、「会社」の欄に会社用の予定を記入するようにして、私用の予定と会社の予定とが区別できるようにしている。
【００９１】
したがって、例えば、図１１に示されるように、私用の予定と会社用の予定とを、単に記入する場合と比較して、いずれの予定名が、いずれの用途で参照されるものであるかを、容易に把握することが可能となる。このことは、図７に示した統合予定表についても同様である。
【００９２】
なお、図７や図１０では、例えば、２１日（日）の１０時から１６時の時間帯において、私用の予定名「ゴルフ」と、会社の業務に関する予定名「甲乙電気製作所 コンペ」を、太線により対応付けるようにして表示するようにした。
【００９３】
しかしながら、対応付けて表示させる表示方法は、これに限定されず、例えば、図１２に示されるように、予定名「ゴルフ」と、予定名「甲乙電気製作所 コンペ」を、１つの矩形内に含めることにより、互いの予定名を対応付けて表示するようにしてもよい。
【００９４】
[端末２１nの動作説明]
次に、図１３のフローチャートを参照して、端末２１nが行う表示処理について説明する。
【００９５】
なお、この表示処理は、例えば、ユーザが、操作部４１を用いて、指定用領域６１及び変更ボタン６２を表示させるための操作を行ったときに開始される。このとき、操作部４１は、ユーザの操作に対応する操作信号を、制御部４３に供給する。
【００９６】
ステップＳ２１において、制御部４３は、操作部４１からの操作信号に応じて、指定可能な表示項目（例えば、「私用」等）を含む指定用領域６１及び変更ボタン６２を、表示部４５に表示させる。ここで、指定用領域６１及び変更ボタン６２を表示させるためのデータは、例えば、記憶部４２に予め保持されているものとし、制御部４３は、記憶部４２に予め保持されているデータに基づいて、指定用領域６１及び変更ボタン６２を表示させる。
【００９７】
なお、ステップＳ２１では、制御部４３は、操作部４１からの操作信号に応じて、予め決められた予定表を表示させるための表示用情報を、管理サーバ２３からネットワーク２２を介して取得するようにしてもよい。そして、制御部４３は、取得した表示用情報に基づいて、予め決められた予定表も、指定用領域６１及び変更ボタン６２とともに表示するようにしてもよい。
【００９８】
これに対して、ユーザは、操作部４１を用いて、表示部４５に表示された指定用領域６１上のチェックボックス６１a乃至６１dを指定することにより、チェックボックス６１a、又はチェックボックス６１b乃至６１dの少なくとも１つにチェックを入れる。
【００９９】
そして、ユーザは、操作部４１を用いて、表示部４５に表示された変更ボタン６２を押下する押下操作を行う。
【０１００】
ステップＳ２２において、制御部４３は、操作部４１から、変更ボタン６２を押下するユーザの押下操作に対応する操作信号が供給されたか否かに基づいて、ユーザの押下操作が行われたか否かを判定する。そして、制御部４３は、ユーザの押下操作が行われたと判定するのを待って、処理をステップＳ２３に進める。
【０１０１】
ステップＳ２３では、制御部４３は、操作部４１からの操作信号に基づいて、複数のチェックボックス６１a乃至６１dのうち、ユーザの押下操作時にチェックが入れられていたチェックボックスに対応する表示項目を判定する。
【０１０２】
ステップＳ２４では、制御部４３は、ステップＳ２３の判定により判定した表示項目の予定（例えば、私用の予定等）を表示するための表示用情報を要求する要求信号を生成し、通信部４４に供給して、ネットワーク２２を介して管理サーバ２３に送信させる。
【０１０３】
すなわち、通信部４４は、制御部４３からの要求信号を、制御部４３からの制御にしたがって、ネットワーク２２を介して管理サーバ２３に送信する。
【０１０４】
これに対して、管理サーバ２３は、通信部４４からネットワーク２２を介して送信されてくる要求信号に基づいて、内蔵する管理テーブルから表示用情報を読み出す。そして、管理サーバ２３は、読み出した表示用情報を、ネットワーク２２を介して、端末２１nに送信する。
【０１０５】
端末２１nの通信部４４は、管理サーバ２３からネットワーク２２を介して送信されてくる表示用情報を受信し、制御部４３に供給する。
【０１０６】
ステップＳ２５では、制御部４３は、通信部４４からの表示用情報に基づいて、予定表を生成する。
【０１０７】
すなわち、例えば、ステップＳ２４において、通信部４４が、表示項目「私用」の予定を表示するための表示用情報を要求する要求信号を、ネットワーク２２を介して管理サーバ２３に送信した場合、ステップＳ２５において、制御部４３には、通信部４４から、私用予定表を表示させるための表示用情報が供給される。
【０１０８】
この場合、ステップＳ２５では、制御部４３は、通信部４４からの表示用情報に基づいて、私用予定表を生成する。
【０１０９】
そして、ステップＳ２６では、制御部４３は、生成した私用予定表を、表示部４５に供給して表示させる。これにより、表示部４５には、図８に示したような表示画面が表示される。同様にして、表示部４５には、図７、図９又は図１０に示したような表示画面を表示させることができる。
【０１１０】
ステップＳ２６の処理の終了後、処理はステップＳ２２に戻り、それ以降同様の処理が行われる。なお、この表示処理は、例えば、ユーザが、操作部４１を用いて、予定表の表示を終了させる操作を行ったときに終了される。
【０１１１】
以上説明したように、表示処理によれば、ユーザにより指定された表示項目の予定が表示されるようにしたので、ユーザが所望する用途の予定表を表示させることが可能となる。
【０１１２】
なお、本実施の形態では、図７乃至図１０に示したように、表示部４５の表示画面に、チェックボックス６１a乃至６１dを表示させ、チェックボックス６１a乃至６１dにより、表示したい表示項目を指定させるようにした。
【０１１３】
しかしながら、表示項目の指定方法は、これに限定されない。すなわち、例えば、図１４に示されるように、私用予定表と会社予定表とを統合して表示させる場合、チェックボックス６１a乃至６１dに代えて、私用ボタン８１及び会社ボタン８２を表示させるようにしてもよい。
【０１１４】
ここで、図１４において、私用ボタン８１は、図１４に示されるような予定表を、私用予定表に切換えて表示させる際にユーザに押下される。また、例えば、会社ボタン８２は、図１４に示されるような予定表を、会社予定表に切換えて表示させる際にユーザに押下される。
【０１１５】
また、図１４において、例えば、私用ボタン８１が押下された場合、私用予定表が表示され、私用ボタン８１に代えて、会社ボタン８２とともに、私用予定表と会社予定表を統合して表示させるためのボタンが表示される。
【０１１６】
[予定の入力方法の一例]
次に、図１５乃至図２０は、それぞれ、ユーザが予定を入力する際に、端末２１nの表示部４５に表示される入力画面の一例を示している。
【０１１７】
ユーザが、操作部４１を用いて、日時が記載されたカレンダーを表示させるための表示操作を行ったことに対応して、操作部４１は、ユーザの表示操作に対応する操作信号を、制御部４３に供給する。
【０１１８】
そして、制御部４３は、操作部４１からの操作信号が供給されたことに対応して、記憶部４２に予め保持されているカレンダー（を表すデータ）を読み出し、表示部４５に供給して表示させる。
【０１１９】
ユーザは、操作部４１を用いて、表示部４５に表示されたカレンダーから、予定を入力したい日時を選択する選択操作を行う。
【０１２０】
すなわち、例えば、ユーザは、操作部４１を用いて、表示部４５に表示されたカレンダーから、２０１１年３月２２日の１６時から１７時までの時間帯を選択する選択操作を行う。これにより、操作部４１は、ユーザの選択操作に対応する操作信号を、制御部４３に供給する。
【０１２１】
そして、制御部４３は、操作部４１からの操作信号に基づいて、記憶部４２に予め保持されている入力画面（を表すデータ）を読み出し、表示部４５に供給して表示させる。
【０１２２】
これにより、表示部４５には、例えば、図１５に示されるように、２０１１年３月２２日の１６時から１７時までの時間帯における予定を入力するための入力画面が表示される。
【０１２３】
図１５に示される入力画面には、ユーザの選択操作により選択された時間帯「２０１１年３月２２日 １６時-１７時」の他、私用の予定を入力する際に選択されるチェックボックス１０１、私用の予定を入力するためのテキストボックス１０２、及び会社用の予定を、私用の予定として共通に入力する際に選択されるチェックボックス１０３が表示される。
【０１２４】
また、図１５に示される入力画面には、会社用の予定を入力する際に選択されるチェックボックス１０４、会社用の予定を入力するためのテキストボックス１０５、私用の予定を、会社用の予定として共通に入力する際に選択されるチェックボックス１０６、及び決定ボタン１０７が表示される。
【０１２５】
例えば、ユーザが、会社予定表の時間帯「２０１１年３月２２日 １６時-１７時」に予定を空欄のままで（予定の概要を入力せずに）追加する場合、操作部４１を用いて、図１５に示されるように、チェックボックス１０４にチェックを入れる。
【０１２６】
そして、ユーザは、操作部４１を用いて、図１５に示される入力画面上の決定ボタン１０７を押下する押下操作を行う。これに対応して、操作部４１は、ユーザによる決定ボタン１０７の押下操作に対応する操作信号を、制御部４３に供給する。
【０１２７】
制御部４３は、操作部４１からの操作信号に基づいて、会社予定表の時間帯「２０１１年３月２２日 １６時-１７時」に、空欄の予定を追加するための予定更新情報を生成する。そして、制御部４３は、生成した予定変更情報を、通信部４４に供給し、ネットワーク２２を介して管理サーバ２３に送信させる。
【０１２８】
これに対して、管理サーバ２３は、通信部４４からネットワーク２２を介して送信されてくる予定変更情報に基づいて、内蔵する管理テーブルで管理されている予定を更新する。
【０１２９】
すなわち、例えば、管理サーバ２３は、図４に示されるように、会社予定表の時間帯「２０１１年３月２２日 １６時-１７時」に、空欄の予定を追加するように、内蔵する管理テーブルを更新する。
【０１３０】
また、例えば、ユーザが、会社予定表の時間帯「２０１１年３月２２日 ９時-１２時」に予定名「Project 打合せ」を追加する場合、操作部４１を用いて、図１６に示されるように、チェックボックス１０４にチェックを入れ、テキストボックス１０５に「Project 打合せ」を入力する。
【０１３１】
そして、ユーザは、操作部４１を用いて、図１６に示される入力画面上の決定ボタン１０７を押下する押下操作を行う。これに対応して、操作部４１は、ユーザによる決定ボタン１０７の押下操作に対応する操作信号を、制御部４３に供給する。
【０１３２】
制御部４３は、操作部４１からの操作信号に基づいて、会社予定表の時間帯「２０１１年３月２２日 ９時-１２時」に、予定名「Project 打合せ」を追加するための予定更新情報を生成する。そして、制御部４３は、生成した予定変更情報を、通信部４４に供給し、ネットワーク２２を介して管理サーバ２３に送信させる。
【０１３３】
これに対して、管理サーバ２３は、通信部４４からネットワーク２２を介して送信されてくる予定変更情報に基づいて、内蔵する管理テーブルで管理されている予定を更新する。
【０１３４】
すなわち、例えば、管理サーバ２３は、図４に示されるように、会社予定表の時間帯「２０１１年３月２２日 ９時-１２時」に、予定名「Project 打合せ」を追加するように、内蔵する管理テーブルを更新する。
【０１３５】
また、例えば、ユーザが、会社予定表及び私用予定表のそれぞれの時間帯「２０１１年３月２３日 １９時-２０時」に予定を空欄のままで追加する場合、操作部４１を用いて、図１７に示されるように、チェックボックス１０１及び１０４にチェックを入れる。
【０１３６】
そして、ユーザは、操作部４１を用いて、図１７に示される入力画面上の決定ボタン１０７を押下する押下操作を行う。これに対応して、操作部４１は、ユーザによる決定ボタン１０７の押下操作に対応する操作信号を、制御部４３に供給する。
【０１３７】
制御部４３は、操作部４１からの操作信号に基づいて、会社予定表及び私用予定表のそれぞれの時間帯「２０１１年３月２３日 １９時-２０時」に、空欄の予定を追加するための予定更新情報を生成する。そして、制御部４３は、生成した予定変更情報を、通信部４４に供給し、ネットワーク２２を介して管理サーバ２３に送信させる。
【０１３８】
これに対して、管理サーバ２３は、通信部４４からネットワーク２２を介して送信されてくる予定変更情報に基づいて、内蔵する管理テーブルで管理されている予定を更新する。
【０１３９】
すなわち、例えば、管理サーバ２３は、図３及び図４に示されるように、私用予定表及び会社予定表のそれぞれの時間帯「２０１１年３月２３日 １９時-２０時」に、空欄の予定を追加するように、内蔵する管理テーブルを更新する。
【０１４０】
また、例えば、ユーザが、私用予定表及び会社予定表のそれぞれの時間帯「２０１１年３月２２日 １９時-２１時」に、予定名「同期 飲み会」を追加する場合、操作部４１を用いて、図１８に示されるように、チェックボックス１０１及び１０４にチェックを入れ、テキストボックス１０２に「同期 飲み会」を入力する。
【０１４１】
さらに、例えば、ユーザは、操作部４１を用いて、図１８に示されるように、チェックボックス１０６にチェックを入れる。
【０１４２】
そして、ユーザは、操作部４１を用いて、図１８に示される入力画面上の決定ボタン１０７を押下する押下操作を行う。これに対応して、操作部４１は、ユーザによる決定ボタン１０７の押下操作に対応する操作信号を、制御部４３に供給する。
【０１４３】
制御部４３は、操作部４１からの操作信号に基づいて、私用予定表及び会社予定表の時間帯「２０１１年３月２２日 １９時-２１時」に、予定名「同期 飲み会」を追加するための予定更新情報を生成する。そして、制御部４３は、生成した予定変更情報を、通信部４４に供給し、ネットワーク２２を介して管理サーバ２３に送信させる。
【０１４４】
これに対して、管理サーバ２３は、通信部４４からネットワーク２２を介して送信されてくる予定変更情報に基づいて、内蔵する管理テーブルで管理されている予定を更新する。
【０１４５】
すなわち、例えば、管理サーバ２３は、図３及び図４に示されるように、私用予定表及び会社予定表のそれぞれの時間帯「２０１１年３月２２日 １９時-２１時」に、予定名「同期 飲み会」を追加するように、内蔵する管理テーブルを更新する。
【０１４６】
さらに、例えば、ユーザが、会社予定表の時間帯「２０１１年３月２１日 １６時-１７時」に、予定名「表彰式」を追加するとともに、私用予定表の時間帯「２０１１年３月２１日 １６時-１７時」に、空欄の予定を追加する場合、操作部４１を用いて、図１９に示されるように、チェックボックス１０１及び１０４にチェックを入れ、テキストボックス１０５に「表彰式」を入力する。
【０１４７】
そして、ユーザは、操作部４１を用いて、図１９に示される入力画面上の決定ボタン１０７を押下する押下操作を行う。これに対応して、操作部４１は、ユーザによる決定ボタン１０７の押下操作に対応する操作信号を、制御部４３に供給する。
【０１４８】
制御部４３は、操作部４１からの操作信号に基づいて、会社予定表の時間帯「２０１１年３月２１日 １６時-１７時」に、予定名「表彰式」を追加するとともに、私用予定表の時間帯「２０１１年３月２１日 １６時-１７時」に、空欄の予定を追加するための予定更新情報を生成する。そして、制御部４３は、生成した予定変更情報を、通信部４４に供給し、ネットワーク２２を介して管理サーバ２３に送信させる。
【０１４９】
これに対して、管理サーバ２３は、通信部４４からネットワーク２２を介して送信されてくる予定変更情報に基づいて、内蔵する管理テーブルで管理されている予定を更新する。
【０１５０】
すなわち、例えば、管理サーバ２３は、図３及び図４に示されるように、私用予定表の時間帯「２０１１年３月２１日 １６時-１７時」に空欄の予定を、会社予定表の時間帯「２０１１年３月２１日 １６時-１７時」に予定名「表彰式」を追加するように、内蔵する管理テーブルを更新する。
【０１５１】
また、例えば、ユーザが、私用予定表の時間帯「２０１１年３月２１日 １０時-１６時」に予定名「ゴルフ」を追加するとともに、会社予定表の時間帯「２０１１年３月２１日 １０時-１６時」に予定名「甲乙電気製作所 コンペ」を追加する場合、操作部４１を用いて、図２０に示されるように、チェックボックス１０１及び１０４にチェックを入れ、テキストボックス１０２に「ゴルフ」を入力し、チェックボックス１０５に「甲乙電気製作所 コンペ」を入力する。
【０１５２】
そして、ユーザは、操作部４１を用いて、図２０に示される入力画面上の決定ボタン１０７を押下する押下操作を行う。これに対応して、操作部４１は、ユーザによる決定ボタン１０７の押下操作に対応する操作信号を、制御部４３に供給する。
【０１５３】
制御部４３は、操作部４１からの操作信号に基づいて、私用予定表の時間帯「２０１１年３月２１日 １０時-１６時」に、予定名「ゴルフ」を追加するとともに、会社予定表の時間帯「２０１１年３月２１日 １０時-１６時」に、予定名「甲乙電気製作所 コンペ」を追加するための予定更新情報を生成する。そして、制御部４３は、生成した予定変更情報を、通信部４４に供給し、ネットワーク２２を介して管理サーバ２３に送信させる。
【０１５４】
これに対して、管理サーバ２３は、通信部４４からネットワーク２２を介して送信されてくる予定変更情報に基づいて、内蔵する管理テーブルで管理されている予定を更新する。
【０１５５】
すなわち、例えば、管理サーバ２３は、図３及び図４に示されるように、私用予定表の時間帯「２０１１年３月２１日 １０時-１６時」に予定名「ゴルフ」を、会社予定表の時間帯「２０１１年３月２１日 １０時-１６時」に予定名「甲乙電気製作所 コンペ」を追加するように、内蔵する管理テーブルを更新する。
【０１５６】
このように、ユーザは、例えば、入力画面を用いて、各用途に応じた予定（例えば、私用の予定や会社の業務に関する予定等）を、１度に更新することができる。
【０１５７】
なお、入力画面は、図１５乃至図２０に示されるように、私用の予定と、会社用の予定（会社の業務に関する予定）とを１度に入力可能なものとされる他、例えば、家族用の予定も、１度に入力できるようなものとすることができる。
【０１５８】
[端末２１nの他の動作説明]
次に、図２１のフローチャートを参照して、端末２１nが、予定更新情報を管理サーバ２３に送信することにより、管理テーブルを更新する更新処理を説明する。
【０１５９】
この更新処理は、例えば、ユーザが、操作部４１を用いて、表示部４５に表示されたカレンダーから、予定を入力したい日時を選択する選択操作を行ったときに開始される。このとき、操作部４１は、ユーザの選択操作に対応する操作信号を、制御部４３に供給する。
【０１６０】
ステップＳ４１において、制御部４３は、操作部４１からの操作信号に応じて、記憶部４２に予め保持されている入力画面を、記憶部４２から読み出し、表示部４５に供給して表示させる。
【０１６１】
これに対して、ユーザは、操作部４１を用いて、表示部４５に表示された入力画面を参照して、予定の入力（例えば、チェックボックス１０１にチェックを入れたり、テキストボックス１０２に文字を入力する等）を行う。
【０１６２】
そして、ユーザは、操作部４１を用いて、予定の入力後に、入力画面上の決定ボタン１０７を押下する押下操作を行う。
【０１６３】
ステップＳ４２において、制御部４３は、操作部４１から、決定ボタン１０７を押下するユーザの押下操作に対応する操作信号が供給されたか否かに基づいて、ユーザの押下操作が行われたか否かを判定する。そして、制御部４３は、ユーザの押下操作が行われたと判定するのを待って、処理をステップＳ４３に進める。
【０１６４】
ステップＳ４３では、制御部４３は、操作部４１からの操作信号に基づいて、入力画面に入力された内容（例えば、テキストボックスに入力された文字列や、いずれのチェックボックスがチェックされたか等）を判定する。
【０１６５】
ステップＳ４４では、制御部４３は、ステップＳ４３の判定により判定した内容で予定を更新するための予定更新情報を生成し、通信部４４に供給する。
【０１６６】
ステップＳ４５では、通信部４４は、制御部４３からの制御にしたがって、制御部４３からの予定更新情報を、ネットワーク４４を介して管理サーバ２３に送信して、更新処理は終了される。これにより、管理サーバ２３は、通信部４４からネットワーク２２を介して送信されてくる予定更新情報に基づいて、内蔵する管理テーブルの内容を更新する。
【０１６７】
以上説明したように、更新処理によれば、表示部４５に表示された入力画面を用いて、私用の予定、会社の業務に関する予定、又は家族の予定の少なくとも１つを、１度に入力できるようにしたので、容易に予定を更新することが可能となる。
【０１６８】
ところで、制御部４３は、例えば図１５に示されたような入力画面を、表示部４５に表示させるようにしたが、その他、例えば、更新処理が行われるときの時刻や、端末２１nの位置等に応じた入力画面を表示させるようにしてもよい。
【０１６９】
すなわち、例えば、平日の時刻８時から１７時までの間は、ユーザが会社で仕事をしていると推定される。したがって、例えば、端末２１nの制御部４３は、平日の時刻８時から１７時までの間、ステップＳ４１において、図２２に示されるような、会社の予定のみを入力可能な入力画面を、表示部４５に表示させるようにしてもよい。なお、この場合、端末２１nは、例えば、時刻を計時する計時部を有しているものとし、制御部４３は、計時部から得られる現在時刻に基づいて、表示すべき入力画面を決定して表示することとなる。
【０１７０】
ここで、図２２に示される入力画面には、例えば、会社用の予定を入力するためのテキストボックス１２１、私用の予定を入力する入力画面に切り替えるための私用ボタン１２２、会社用と私用との予定を同時に入力可能な入力画面に切り替えるための統合ボタン１２３、及び決定ボタン１２４が表示されている。
【０１７１】
また、例えば、端末２１nがユーザにより持ち運び可能な携帯端末などである場合、端末２１nの現在位置に応じて、表示させる入力画面を変更することができる。
【０１７２】
すなわち、例えば、端末２１nに、例えばGPS(Global Positioning System)などの測位部を設けるようにし、その測位部により測定された現在位置が、ユーザが勤務する会社の位置を表している場合には、図２２に示されたような入力画面を表示させるようにすることができる。
【０１７３】
[管理サーバ２３の構成例]
次に、図２３は、管理サーバ２３の構成例を示している。
【０１７４】
この管理サーバ２３は、通信部１４１、制御部１４２、及び記憶部１４３から構成される。
【０１７５】
通信部１４１は、端末２１nからネットワーク２２を介して送信される要求信号や予定更新情報を受信し、制御部１４２に供給する。また、通信部１４１は、制御部１４２からの表示用情報を、ネットワーク２２を介して、端末２１nに送信する。
【０１７６】
制御部１４２は、通信部１４１からの要求信号に応じて、記憶部１４３から表示用情報を読み出し、通信部１４１に供給する。また、制御部１４２は、通信部１４１からの予定更新情報に基づいて、記憶部１４３に保持されている管理テーブルを更新する。
【０１７７】
記憶部１４３は、例えば、図２４に示されるような管理テーブルを保持している。
【０１７８】
次に、図２４は、記憶部１４３に保持されている管理テーブル１４３aの一例を示している。
【０１７９】
この管理テーブル１４３aには、用途毎に、表示用情報として、予定日、開始時刻、終了時刻、及び予定名が対応付けられて保持されている。なお、表示用情報は、対応付けられた用途に応じたユーザの予定（行動計画）を示すものである。
【０１８０】
すなわち、例えば、管理テーブル１４３aには、表示用情報として、用途「私用」に、予定日「２１日（日）」、開始時刻「１０時」、終了時刻「１６時」、及び予定名「ゴルフ」が対応付けられて保持されている。なお、この表示用情報は、私用の用途で用いられる私用予定表の予定として、図３に示されるように、２１日（日）の１０時から１６時までの予定名「ゴルフ」を表示するためのデータである。
【０１８１】
なお、制御部１４２は、例えば、通信部１４１から、私用予定表における２１日（日）の１０時から１６時までの時間帯に、予定名「ゴルフ」を追加するための予定更新情報が供給された場合、記憶部１４３に保持されている管理テーブル１４３aを読み出す。
【０１８２】
そして、制御部１４２は、読み出した管理テーブル１４３aに、用途「私用」、予定日「２１日（日）」、開始時刻「１０時」、終了時刻「１６時」、及び予定名「ゴルフ」を登録（保持）させる。そして、制御部１４２は、登録後の管理テーブル１４３aを、記憶部１４３に供給して、上書きにより記憶させる。
【０１８３】
[表示用情報の生成方法]
次に、図２５は、制御部１４２が、記憶部１４３に保持されている管理テーブルから、予定表を表示させるための表示用情報を読み出す場合の一例を示している。
【０１８４】
制御部１４２は、例えば、図２５に示されるような用途Aの予定表（例えば、私用予定表）を表示させるための表示用情報を、管理テーブル１４３aから読み出す場合を考える。
【０１８５】
この場合、制御部１４２は、図２５に示されるように、管理テーブル１４３aから、表示用情報として、用途A（例えば、私用の用途）に対応付けられている「予定日」、「開始時刻」、「終了時刻」、及び「用途A 予定名」を読み出すこととなる。
【０１８６】
また、制御部１４２が、例えば、図２５に示されるような用途Bの予定表（例えば、会社予定表）を表示させるための表示用情報を、管理テーブル１４３aから読み出す場合についても、同様にして表示データが読み出される。
【０１８７】
さらに、制御部１４２が、例えば、用途A及びBの予定表を、統合予定表として表示させる場合には、用途A及びBにそれぞれ対応付けられている表示用情報を読み出すこととなる。
【０１８８】
[管理サーバ２３の動作説明]
次に、図２６のフローチャートを参照して、管理サーバ２３が行なう送信処理について説明する。
【０１８９】
この送信処理は、例えば、管理サーバ２３の電源がオンされたときに開始される。
【０１９０】
ステップＳ６１において、制御部１４２は、通信部１４１からデータが供給されたことに対応して、通信部１４１からのデータが要求信号であるか否かに基づき、端末２１nから要求信号を受信したか否かを判定する。なお、通信部１４１は、ネットワーク２２を介して、端末２１nから送信されてくるデータを受信し、制御部１４２に供給する。
【０１９１】
制御部１４２は、端末２１nから要求信号を受信したと判定した場合に、通信部１４１からのデータを、要求信号として取得し、処理をステップＳ６２に進める。
【０１９２】
なお、制御部１４２は、端末２１nから要求信号を受信していないと判定した場合、通信部１４１から新たなデータが供給されるのを待って、ステップＳ６１の処理を再び行う。
【０１９３】
ステップＳ６２において、制御部６２は、通信部１４１から取得した要求信号に基づいて、記憶部１４３に保持されている管理テーブルから、要求信号に応じた表示用情報を読み出し、通信部１４１に供給する。
【０１９４】
すなわち、例えば、要求信号が、私用予定表を表示させるための表示用情報を要求する信号である場合、制御部６２は、用途「私用」に対応付けられている表示用情報を読み出し、通信部１４１に供給する。
【０１９５】
ステップＳ６３では、通信部１４１は、制御部６２からの表示用情報を、ネットワーク２２を介して、要求信号の送信元である端末２１nに送信し、処理はステップＳ６１に戻り、それ以降同様の処理が行われる。なお、この送信処理は、例えば、管理サーバ２３の電源がオフされたときに終了される。
【０１９６】
以上説明したように、送信処理によれば、端末２１nからの要求信号に応じた表示用情報を、端末２１nに送信するようにしたので、端末２１nにおいて、ユーザが所望する予定表を表示することが可能となる。
【０１９７】
次に、図２７のフローチャートを参照して、管理サーバ２３が行なうテーブル更新処理について説明する。
【０１９８】
このテーブル更新処理は、例えば、管理サーバ２３の電源がオンされたときに開始される。
【０１９９】
ステップＳ８１において、制御部１４２は、通信部１４１からデータが供給されたことに対応して、通信部１４１からのデータが予定更新情報であるか否かに基づき、端末２１nから予定更新情報を受信したか否かを判定する。なお、通信部１４１は、ネットワーク２２を介して、端末２１nから送信されてくるデータを受信し、制御部１４２に供給する。
【０２００】
制御部１４２は、端末２１nから予定更新情報を受信したと判定した場合に、通信部１４１からのデータを、予定更新情報として取得し、処理をステップＳ８２に進める。
【０２０１】
なお、制御部１４２は、端末２１nから予定更新情報を受信していないと判定した場合、通信部１４１から新たなデータが供給されるのを待って、ステップＳ８１の処理を再び行う。
【０２０２】
ステップＳ８２では、制御部１４２は、通信部１４１から取得した予定更新情報に基づいて、記憶部１４３に保持されている管理テーブル１４３aを更新する。
【０２０３】
すなわち、例えば、制御部１４２は、記憶部１４３に保持されている管理テーブルを、記憶部１４３から読み出す。そして、制御部１４２は、通信部１４１から取得した予定更新情報に基づいて、読み出した管理テーブル１４３aに対して、新たな予定の追加等を行う。
【０２０４】
具体的には、例えば、予定更新情報が、私用の予定として、図３に示されるように、２１日（日）の１０時から１６時までの予定名「ゴルフ」を追加することを表す情報である場合、制御部１４２は、通信部１４１から取得した予定更新情報に基づいて、用途「私用」に、予定日「２１日（日）」、開始時刻「１０時」、終了時刻「１６時」、及び予定名「ゴルフ」を対応付けたものを、管理テーブル１４３aに追加する。
【０２０５】
なお、管理テーブル１４３aにおいて、２１日（日）の１０時から１６時までの時間帯で、私用の予定が既に登録されている場合、制御部１４２により、登録済みの私用の予定に代えて、新たな私用の予定が上書きにより登録されることとなる。
【０２０６】
ステップＳ８２の終了後、処理はステップＳ８１に戻り、それ以降、同様の処理が行われる。なお、このテーブル更新処理は、例えば、管理サーバ２３の電源がオフされたときに終了される。
【０２０７】
以上説明したように、テーブル更新処理によれば、端末２１nからの予定更新情報に基づいて、管理テーブル１４３aを更新できるようにしたので、ユーザは、端末２１nを用いて、容易に管理テーブル１４３aを更新することが可能となる。
【０２０８】
＜２．変形例＞
ところで、例えば、所定の予定表を更新した場合に、その更新に応じた内容を、他の予定表に反映させるようにすることもできる。
【０２０９】
すなわち、例えば、図２８Bに示されるように、会社予定表における２３日（火）の２０時から２１時の予定として、予定名「Project 進捗確認」を追加するための予定更新情報が、端末２１nからネットワーク２２及び通信部１４１を介して制御部１４２に供給された場合には、制御部１４２は、以下に示す処理を行なうようにしてもよい。
【０２１０】
具体的には、例えば、制御部１４２は、通信部１４１からの予定更新情報に基づいて、管理テーブル１４３aの内容を変更することにより、図２８Bに示されるように、会社予定表に予定名「Project 進捗確認」を追加する更新を行う。これにより、管理テーブル１４３aには、用途「会社」に対応付けられた表示用情報として、予定日「２３日（火）」、開始時刻「２０時」、終了時刻「２１時」、及び予定名「Project 進捗確認」が追加される。
【０２１１】
そして、制御部１４２は、会社予定表に「Project 進捗確認」を追加する更新を行うとともに、その更新に応じて、管理テーブル１４３aの内容を変更することにより、私用予定表の関連する予定を更新する。
【０２１２】
すなわち、例えば、制御部１４２は、会社予定表に「Project 進捗確認」が追加されたことに応じて、図２８Aに示されるように、私用予定表における２３日（火）の１１時３０分から１９時までの予定名「会社」を、２１時まで延長させる更新を行う。
【０２１３】
これにより、管理テーブル１４３aにおいて、用途「私用」に対応付けられている表示用情報としての予定日「２３日（火）」、開始時刻「１１時３０分」、終了時刻「１９時」、及び予定名「会社」が、予定日「２３日（火）」、開始時刻「１１時３０分」、終了時刻「２１時」、及び予定名「会社」に変更される。
【０２１４】
また、例えば、本実施の形態では、図３に示されたような私用予定表を表示させるようにしたが、その他、例えば、図２８Aに示されるように、会社予定表との対応する予定も表示させるようにしてもよい。
【０２１５】
すなわち、例えば、私用予定表では、図２８Aに示されるように、２１日（日）
の１０時から１６時まで時間帯における予定表示１６１aを表示させることができる。この予定表示１６１aは、会社予定表の予定名「フクダ電子コンペ」１６１bに対応するものである。
【０２１６】
また、例えば、私用予定表において、図２８Aに示されるように、２２日（月）
の９時３０分から１９時までの予定名「会社」に対応する予定表示１６２a乃至１６４aを表示させることができる。
【０２１７】
なお、予定表示１６２aは、会社予定表における２２日（月）の９時３０分から１２時までの時間帯における予定名「Project 打合せ」１６２bに対応する。また、予定表示１６３aは、会社予定表における２２日（月）の１３時から１５時までの時間帯における予定名「経営会議」１６３bに対応する。さらに、予定表示１６４aは、会社予定表における２２日（月）の１７時から１８時までの時間帯における予定名「課 定例」１６４bに対応する。
【０２１８】
本実施の形態では、ユーザが、表示部４５に表示される入力画面を参照しながら、予定を入力することについて説明したが、その他、例えば、ユーザの他、ユーザの予定表に予定を入力する権限を有する者が、予定を入力できるようにしてもよい。
【０２１９】
この場合、例えば、図２９に示されるように、第１のユーザの会社予定表を更新する権限を付与された第２のユーザは、会社予定アクセス権者として、第１のユーザと同様にして、会社予定表を更新できるようになる。但し、図２９において、会社予定アクセス権者は、第１のユーザの私用予定表を更新する権限が付与されていないため、私用予定表を更新することはできない。
【０２２０】
また、例えば、図２９に示されるように、第１のユーザの私用予定表を更新する権限を付与された第３のユーザは、私用予定アクセス権者として、第１のユーザと同様にして、私用予定表を更新できるようになる。但し、図２９において、私用予定アクセス権者は、第１のユーザの会社予定表を更新する権限が付与されていないため、会社予定表を更新することはできない。
【０２２１】
図２９に示されるように構成する場合には、例えば、制御部１４２は、端末２１nを使用する各ユーザのユーザID毎に、予定表を更新可能な範囲を表す権限を対応付けた権限付与テーブルを、記憶部１４３に保持させるようにする。
【０２２２】
そして、制御部１４２は、記憶部１４３に保持されている権限付与テーブルを参照し、ユーザIDに基づいて、端末２１nを使用するユーザに付与された権限の範囲を判定し、その権限の範囲内での更新についてのみ、更新を行うこととなる。
【０２２３】
なお、ユーザID毎に、権限を対応付ける際には、例えば、端末２１nの制御部４３は、入力画面を表示させる場合と同様にして、表示部４５に設定画面を表示させる。
【０２２４】
これに対して、例えば、ユーザは、入力画面に情報を入力する場合と同様にして、表示部４５に表示された設定画面に対して、ユーザの予定表に対する、他のユーザの権限の内容を入力するようにして、他のユーザの権限を設定する。そして、その設定内容は、端末２１nの通信部４４からネットワーク２２を介して、管理サーバ２３の通信部１４１に送信される。
【０２２５】
通信部１４１は、受信した設定内容を、制御部１４２に供給する。制御部１４２は、通信部１４１からの設定内容に基づいて、ユーザID毎に権限を設定するようにして、各ユーザの権限を管理する。すなわち、例えば、制御部１４２は、通信部１４１からの設定内容に基づいて、管理テーブル１４３aを更新するときと同様にして、記憶部１４３に記憶されている権限付与テーブルを更新する。
【０２２６】
さらに、ユーザの予定表に予定を入力する権限を有する者が、予定を入力できるようにするとともに、またはそれに代えて、ユーザの予定表を端末２１nの表示部４５に表示させるための権限を有する者が、ユーザの予定表を表示部４５に表示できるようにしてもよい。この場合についても、上述した場合と同様にして、例えば、管理サーバ２３の記憶部１４３において、各ユーザの権限が管理される。
【０２２７】
その他、例えば、図３０に示されるように、管理サーバ２３において管理されている会社予定表とは別に、マイクロソフト社のoutlook（商標）等で会社の予定を管理している場合には、outlookを、会社予定表と同期させることができる。
【０２２８】
これにより、端末２１nから管理サーバ２３に対して、outlookで管理されている予定を追加するための予定更新情報が送信される。
【０２２９】
そして、管理サーバ２３では、端末２１nからネットワーク２２を介して送信される予定更新情報に基づいて、outlookで管理されている予定のうち、会社予定表に反映されていない予定が追加されるように更新が行われる。
【０２３０】
このことは、図３０に示されるように、管理サーバ２３において管理されている私用予定表とは別に、google calendar(商標)等で私用の予定を管理している場合についても同様のことが言える。
【０２３１】
なお、端末２１nとしては、例えば、携帯電話機、又はデスクトップ型やノート型のパーソナルコンピュータ等を採用することができる。
【０２３２】
また、本実施の形態では、端末２１nと管理サーバ２３とを別々に構成するようにした。しかしながら、例えば、端末２１1乃至２１Nのいずれか１つの端末２１nが、端末２１n自体の構成の他、管理サーバ２３の構成も有するようにして、管理サーバ２３としても機能するようにしてもよい。
【０２３３】
さらに、本実施の形態では、私用の用途、会社の業務に関する用途、及び家族に関する用途を、ユーザの異なる複数の用途として説明したが、用途についてはこれに限定されない。したがって、ユーザの予定を管理する予定表としては、私用予定表、会社予定表、及び家族予定表の他、他の予定表を採用することができる。
【０２３４】
なお、本技術は以下のような構成もとることができる。
（１）ユーザに使用される予定表の用途に応じた行動計画を示す行動計画情報を前記用途毎に保持するテーブルから、前記行動計画情報を取得する取得部と、取得された前記行動計画情報に基づいて、異なる前記用途で前記ユーザにそれぞれ使用される複数の前記予定表の同一の時間帯における前記ユーザの予定を表す複数の前記行動計画を、前記用途別に区別して表示させる表示制御部とを含む表示制御装置。
（２）前記表示制御部は、取得された前記行動計画情報に基づいて、前記複数の行動計画を対応付けた状態で表示させる前記（１）に記載の表示制御装置。
（３）前記表示制御部は、前記複数の行動計画のうち、同一の内容とされた行動計画を統合して表示させる前記（２）に記載の表示制御装置。
（４）前記表示制御部は、取得された前記行動計画情報に基づいて、前記ユーザの予定が存在することを少なくとも表す前記行動計画を、前記用途別に区別して表示させる前記（３）に記載の表示制御装置。
（５）前記表示制御部は、取得された前記行動計画情報に基づいて、前記ユーザにより指定された各用途に応じた前記複数の行動計画を、前記用途別に区別して表示させる前記（１）乃至（４）に記載の表示制御装置。
（６）前記表示制御部は、前記用途毎に前記行動計画を入力可能な入力画面も表示させる前記（１）乃至（４）に記載の表示制御装置。
（７）前記表示制御部は、異なる各用途に応じた共通の前記行動計画も入力可能な前記入力画面も表示させる前記（６）に記載の表示制御装置。
（８）前記表示制御部は、現在時刻、又は前記表示制御装置の位置情報に応じて異なる前記入力画面も表示させる前記（６）に記載の表示制御装置。
（９）前記入力画面に入力された内容に基づいて、前記テーブルが保持する前記行動計画情報を更新する更新部をさらに含む前記（１）乃至（４）に記載の表示制御装置。
（１０）前記表示制御部は、前記行動計画情報を更新するための権限、又は前記行動計画情報に基づく前記行動計画を表示させるための権限の少なくとも一方を各ユーザ毎に設定するための設定画面を表示させる前記（１）乃至（４）に記載の表示制御装置。
【０２３５】
ところで、上述した一連の処理は、ハードウェアにより実行することもできるし、ソフトウェアにより実行することもできる。一連の処理をソフトウェアにより実行する場合には、そのソフトウェアを構成するプログラムが、専用のハードウェアに組み込まれているコンピュータ、又は、各種のプログラムをインストールすることで、各種の機能を実行することが可能な、例えば汎用のコンピュータなどに、プログラム記録媒体からインストールされる。
【０２３６】
[コンピュータの構成例]
図３１は、上述した一連の処理をプログラムにより実行するコンピュータのハードウェアの構成例を示している。
【０２３７】
CPU（Central Processing Unit）２０１は、ROM（Read Only Memory）２０２、又は記憶部２０８に記憶されているプログラムに従って各種の処理を実行する。RAM（Random Access Memory）２０３には、CPU２０１が実行するプログラムやデータ等が適宜記憶される。これらのCPU２０１、ROM２０２、及びRAM２０３は、バス２０４により相互に接続されている。
【０２３８】
CPU２０１にはまた、バス２０４を介して入出力インタフェース２０５が接続されている。入出力インタフェース２０５には、キーボード、マウス、マイクロホン等よりなる入力部２０６、ディスプレイ、スピーカ等よりなる出力部２０７が接続されている。CPU２０１は、入力部２０６から入力される指令に対応して各種の処理を実行する。そして、CPU２０１は、処理の結果を出力部２０７に出力する。
【０２３９】
入出力インタフェース２０５に接続されている記憶部２０８は、例えばハードディスクからなり、CPU２０１が実行するプログラムや各種のデータを記憶する。通信部２０９は、インターネットやローカルエリアネットワーク等のネットワークを介して外部の装置と通信する。
【０２４０】
また、通信部２０９を介してプログラムを取得し、記憶部２０８に記憶してもよい。
【０２４１】
入出力インタフェース２０５に接続されているドライブ２１０は、磁気ディスク、光ディスク、光磁気ディスク、或いは半導体メモリ等のリムーバブルメディア２１１が装着されたとき、それらを駆動し、そこに記録されているプログラムやデータ等を取得する。取得されたプログラムやデータは、必要に応じて記憶部２０８に転送され、記憶される。
【０２４２】
コンピュータにインストールされ、コンピュータによって実行可能な状態とされるプログラムを記録（記憶）する記録媒体は、図３１に示すように、磁気ディスク（フレキシブルディスクを含む）、光ディスク（CD-ROM(Compact Disc-Read Only Memory),DVD(Digital Versatile Disc)を含む）、光磁気ディスク（ＭＤ（Mini-Disc）を含む）、もしくは半導体メモリ等よりなるパッケージメディアであるリムーバブルメディア２１１、又は、プログラムが一時的もしくは永続的に格納されるROM２０２や、記憶部２０８を構成するハードディスク等により構成される。記録媒体へのプログラムの記録は、必要に応じてルータ、モデム等のインタフェースである通信部２０９を介して、ローカルエリアネットワーク、インターネット、デジタル衛星放送といった、有線又は無線の通信媒体を利用して行われる。
【０２４３】
なお、本明細書において、上述した一連の処理を記述するステップは、記載された順序に沿って時系列的に行われる処理はもちろん、必ずしも時系列的に処理されなくとも、並列的あるいは個別に実行される処理をも含むものである。
【０２４４】
また、本明細書において、システムとは、複数の装置により構成される装置全体を表すものである。
【０２４５】
さらに、本開示における実施の形態は、上述した本実施の形態に限定されるものではなく、本開示の要旨を逸脱しない範囲において種々の変更が可能である。
【符号の説明】
【０２４６】
１  通信システム，  ２１n  端末，  ２２  ネットワーク，  ２３  管理サーバ，  ４１  操作部，  ４２  記憶部，  ４３  制御部，  ４４  通信部，  ４５  表示部，  １４１  通信部，  １４２  制御部，  １４３  記憶部，  １４３a  管理テーブル
【図１】
2013084162.tif 000003
【図２】
2013084162.tif 000004
【図３】
2013084162.tif 000005
【図４】
2013084162.tif 000006
【図５】
2013084162.tif 000007
【図６】
2013084162.tif 000008
【図７】
2013084162.tif 000009
【図８】
2013084162.tif 000010
【図９】
2013084162.tif 000011
【図１０】
2013084162.tif 000012
【図１１】
2013084162.tif 000013
【図１２】
2013084162.tif 000014
【図１３】
2013084162.tif 000015
【図１４】
2013084162.tif 000016
【図１５】
2013084162.tif 000017
【図１６】
2013084162.tif 000018
【図１７】
2013084162.tif 000019
【図１８】
2013084162.tif 000020
【図１９】
2013084162.tif 000021
【図２０】
2013084162.tif 000022
【図２１】
2013084162.tif 000023
【図２２】
2013084162.tif 000024
【図２３】
2013084162.tif 000025
【図２４】
2013084162.tif 000026
【図２５】
2013084162.tif 000027
【図２６】
2013084162.tif 000028
【図２７】
2013084162.tif 000029
【図２８】
2013084162.tif 000030
【図２９】
2013084162.tif 000031
【図３０】
2013084162.tif 000032
【図３１】
2013084162.tif 000033